(57)【要約】【課題】所望の塗色を得るための調色塗料の配合情報を、高価な専用端末装置を使用することなく容易に取得することができる塗料配合情報取得方法及び配合情報取得システムを提供する。【解決手段】本発明は、所望の塗色の塗色情報を携帯型情報処理装置に入力し、該携帯型情報処理装置はネットワークを介してサーバに接続して前記塗色情報をサーバに送信し、サーバ内のデータベースを検索して前記塗色情報に対応する配合情報を取得し、取得した配合情報を携帯型情報処理装置に表示させることを特徴とする所望の塗色を得るための調色塗料の塗料配合情報取得方法。【選択図】図１
2007314772.tif 000002
【特許請求の範囲】
【請求項１】
所望の塗色を得るための調色塗料の塗料配合情報取得方法であって、
所望の塗色の塗色情報を携帯型情報処理装置に入力する工程と、
前記携帯型情報処理装置から前記塗色情報をネットワークを介してサーバに接続して送信する工程と、
前記塗色情報に対応する配合情報を前記サーバ内のデータベースから検索する工程と、
上記検索により得られた前記塗色情報に対応する配合情報を前記ネットワークを介して前記携帯型情報処理装置が受信取得する工程とを有することを特徴とする所望の塗色を得るための調色塗料の塗料配合情報取得方法。
【請求項２】
前記携帯型情報処理装置が非接触ＩＣチップを搭載している請求項１記載の調色塗料の塗料配合情報取得方法。
【請求項３】
所望の塗色の塗色情報と取得した所望の塗色を得るための調色塗料の配合情報との組み合わせを前記非接触ＩＣチップに記憶させることを特徴とする請求項２記載の調色塗料の塗料配合情報取得方法。
【請求項４】
前記非接触ＩＣチップに記憶させた所望の塗色を得るための調色塗料の前記配合情報を出力装置が読み取ることを特徴とする請求項３記載の調色塗料の塗料配合情報取得方法。
【請求項５】
前記所望の塗色の塗色情報をコード化された数値信号として前記携帯型情報処理装置に入力する請求項１〜４のいずれか１項記載の調色塗料の塗料配合情報取得方法。
【請求項６】
前記所望の塗色の塗色情報を入力装置から電子データとして前記携帯型情報処理装置に搭載された前記非接触ＩＣチップに書き込むことによって入力する請求項２〜５のいずれか１項記載の調色塗料の塗料配合情報取得方法。
【請求項７】
前記所望の塗色の塗色情報が、塗色名、塗色コード、明度、色度、塗色を複数の角度にて測定して得られた分光反射率、塗色の質感を表わすＩＶ値、ＳＶ値、フリップフロップ値及びミクロ光輝感の少なくとも１種以上を含むことを特徴とする請求項１〜６のいずれか１項記載の調色塗料の塗料配合情報取得方法。
【請求項８】
前記出力装置が所望の塗色名及び対応する配合情報を表示する表示装置、所望の塗色及び対応する配合情報を印刷する印刷装置及び配合情報に基づいて配合せしめる原色塗料の種類と配合量の組み合わせを表示する計量装置から選択された１種以上であることを特徴とする請求項４記載の調色塗料の塗料配合情報取得方法。
【請求項９】
前記入力装置が測色装置及び/又は演算装置であることを特徴とする請求項６記載の調色塗料の塗料配合情報取得方法。
【請求項１０】
前記サーバ内のデータベースに、前記携帯型情報処理装置から受信した塗色情報に対応する調色塗料の配合情報が格納されていない場合において、該塗色情報に基づいて近似色検索を実施して、該塗色情報に近似する塗色情報に対応する調色塗料の配合情報を前記携帯型情報処理装置に送信する請求項１〜９のいずれか１項記載の調色塗料の塗料配合情報取得方法。
【請求項１１】
前記サーバ内のデータベースに、前記携帯型情報処理装置から受信した塗色情報に対応する調色塗料の配合情報が格納されていない場合において、該塗色情報に基づいてコンピュータカラーマッチングを実施して、該塗色情報に対応する調色塗料の配合情報を計算し、前記携帯型情報処理装置に送信することを特徴とする請求項１〜９のいずれか１項記載の調色塗料の塗料配合情報取得方法。
【請求項１２】
前記携帯型情報処理装置が前記サーバ内のデータベースに接続するに際して前記サーバが、前記携帯型情報処理装置固有の識別番号に基づいて認証を行う機能を具備するものであることを特徴とする請求項１〜１１のいずれか１項記載の調色塗料の塗料配合情報取得方法。
【請求項１３】
前記サーバが、前記携帯型情報処理装置に送信した前記配合情報の履歴を蓄積することを特徴とする請求項１〜１２のいずれか１項記載の調色塗料の塗料配合情報取得方法。
【請求項１４】
複数の塗色の塗色情報にそれぞれ対応する調色塗料の配合情報を格納したデータベースを有し且つネットワークに接続されたサーバと、
所望の塗色の塗色情報を入力してネットワークを介して前記サーバに接続して調色塗料の配合情報を取得し、搭載される非接触ＩＣチップに記憶させる携帯型情報処理装置と、
調色塗料の塗色名及び配合情報を表示する表示装置、調色塗料の塗色名及び配合情報に基づいて配合せしめる原色塗料の種類と配合量との組み合わせを表示する計量装置、並びに、調色塗料の塗色名及び配合情報を印刷する印刷装置から選択される一以上の出力装置とを備える所望の塗色を得るための調色塗料の配合情報取得システムであって、
前記携帯型情報処理装置に搭載された非接触ＩＣチップに記憶される塗色情報と対応する配合情報を前記出力装置に送信出力することを特徴とする調色塗料の配合情報取得システム。
【発明の詳細な説明】
【技術分野】
【０００１】
本発明は、所望の塗色を得るための調色塗料の塗料配合情報取得方法及び配合情報取得システムに関するものである。
【背景技術】
【０００２】
自動車外板を塗装によって補修する場合においては、塗装する部分の色を周囲の色と一致させることが重要となる。このため、所望の塗色が得られる調色塗料を調整する必要がある。調色塗料は、複数の原色塗料、着色顔料ペースト、光輝性顔料ペースト、艶調整剤及び添加剤等を種々の比率にて混合せしめるものであって、通常、塗料販売店、自動車補修工場、調色工場等で調色作業を行ない調整するものである。調色作業において作業者は、所望の塗色の色見本等を参照して、原色塗料を如何に組み合わせるかを試行錯誤して、調色塗料を調製しているため作業者の技量や経験が要求される。
【０００３】
塗料会社は、通常、調色塗料を調製した際の配合情報を記録し、塗色に対応する調色塗料の配合情報を蓄積して、ホストコンピュータ内のデータベースとして管理している。また、前記データベースは、原色塗料の原料事情の変遷や、新規な塗色への対応等のため、常に更新されている。現在すでに塗料販売店や調色工場等のユーザーが、上記のような配合情報を参照するためのシステムがすでに実用化されている。
【０００４】
特許文献１は、自動計量調色システムに関する発明であって、端末装置に被塗物の色に関するコード化された信号を入力して、入力した信号を通信回線を介してコンピュータ装置に送り、コンピュータ装置から出力した調色データを通信回線を介して端末装置に送り、送られた調色データに基づいて自動計量を行う自動計量システムについて記載されている。しかし、ユーザーが上記システムを使用するには、専用の端末装置を購入する必要がある。該端末装置は、高価なものであり、また定期的な保守が必要である。さらに通信回線を介して調色データを入手するため端末装置の設置場所に制限がある等の問題点がある。
【０００５】
特許文献２は、多額の投資をせずに、調色者が目的とする色を簡便かつ確実に調色するための塗料の調色支援システム及び塗料の調色方法に関する発明であって、コード化された塗料配合組成データを、情報入力手段、情報処理手段及び塗料配合組成表示手段を備えた計量機で処理し、上記塗料配合組成データを上記塗料配合組成表示手段に表示することによって調色者に調色情報を提供する塗料の調色支援システムについて記載されている。特許文献２に開示されているシステムにおいて、ユーザーは、色を表わすカラーカードと、対応するコード化された配合データとの組み合わせを整理保管していて、調色作業を行う際には、該配合データを情報入力手段を使用して、計量機に表示させるものである。色と対応する配合情報が変更される場合には、前記コード化された配合データを変更する必要があるが、コード化された配合データをユーザーが簡便に変更することは困難である。
【特許文献１】特開平２−１８４３６９号公報
【特許文献２】特開２００４−２６９７４５号
【発明の開示】
【発明が解決しようとする課題】
【０００６】
本発明の目的は、所望の塗色を得るための調色塗料の配合情報を、高価な専用端末装置を使用することなく容易に取得することができる塗料配合情報取得方法及び配合情報取得システムを提供することである。
【課題を解決するための手段】
【０００７】
本発明の上記目的は、所望の塗色を得るための調色塗料の塗料配合情報取得方法であって、所望の塗色の塗色情報を携帯型情報処理装置に入力する工程と、記携帯型情報処理装置から前記塗色情報をネットワークを介してサーバに接続して送信する工程と、前記塗色情報に対応する配合情報を前記サーバ内のデータベースから検索する工程と、上記検索により得られた前記塗色情報に対応する配合情報を前記ネットワークを介して前記携帯型情報処理装置が受信取得する工程とを有することを特徴とする所望の塗色を得るための調色塗料の塗料配合情報取得方法により達成される。
【０００８】
この調色塗料の塗料配合情報取得方法において、前記携帯型情報処理装置が非接触ＩＣチップを搭載していることが好ましい。
【０００９】
また、所望の塗色の塗色情報と取得した所望の塗色を得るための調色塗料の配合情報との組み合わせを前記非接触ＩＣチップに記憶させることが好ましい。
【００１０】
また、前記非接触ＩＣチップに記憶させた所望の塗色を得るための調色塗料の前記配合情報を出力装置が読み取ることが好ましい。
【００１１】
また、前記所望の塗色の塗色情報をコード化された数値信号として前記携帯型情報処理装置に入力することが好ましい。
【００１２】
また、前記所望の塗色の塗色情報を入力装置から電子データとして前記携帯型情報処理装置に搭載された前記非接触ＩＣチップに書き込むことによって入力することが好ましい。
【００１３】
また、前記所望の塗色の塗色情報が、塗色名、塗色コード、明度、色度、塗色を複数の角度にて測定して得られた分光反射率、塗色の質感を表わすＩＶ値、ＳＶ値、フリップフロップ値及びミクロ光輝感の少なくとも１種以上を含むことが好ましい。
【００１４】
また、前記出力装置が所望の塗色名及び対応する配合情報を表示する表示装置、所望の塗色及び対応する配合情報を印刷する印刷装置及び配合情報に基づいて配合せしめる原色塗料の種類と配合量の組み合わせを表示する計量装置から選択された１種以上であることが好ましい。
【００１５】
また、前記入力装置が測色装置及び/又は演算装置であることが好ましい。
【００１６】
また、前記サーバ内のデータベースに、前記携帯型情報処理装置から受信した塗色情報に対応する調色塗料の配合情報が格納されていない場合において、該塗色情報に基づいて近似色検索を実施して、該塗色情報に近似する塗色情報に対応する調色塗料の配合情報を前記携帯型情報処理装置に送信することが好ましい。
【００１７】
また、前記サーバ内のデータベースに、前記携帯型情報処理装置から受信した塗色情報に対応する調色塗料の配合情報が格納されていない場合において、該塗色情報に基づいてコンピュータカラーマッチングを実施して、該塗色情報に対応する調色塗料の配合情報を計算し、前記携帯型情報処理装置に送信することが好ましい。
【００１８】
また、前記携帯型情報処理装置が前記サーバ内のデータベースに接続するに際して前記サーバが、前記携帯型情報処理装置固有の識別番号に基づいて認証を行う機能を具備するものであることが好ましい。
【００１９】
また、前記サーバが、前記携帯型情報処理装置に送信した前記配合情報の履歴を蓄積することが好ましい。
【００２０】
また、本発明の上記目的は、複数の塗色の塗色情報にそれぞれ対応する調色塗料の配合情報を格納したデータベースを有し且つネットワークに接続されたサーバと、所望の塗色の塗色情報を入力してネットワークを介して前記サーバに接続して調色塗料の配合情報を取得し、搭載される非接触ＩＣチップに記憶させる携帯型情報処理装置と、調色塗料の塗色名及び配合情報を表示する表示装置、調色塗料の塗色名及び配合情報に基づいて配合せしめる原色塗料の種類と配合量との組み合わせを表示する計量装置、並びに、調色塗料の塗色名及び配合情報を印刷する印刷装置から選択される一以上の出力装置とを備える所望の塗色を得るための調色塗料の配合情報取得システムであって、前記携帯型情報処理装置に搭載された非接触ＩＣチップに記憶される塗色情報と対応する配合情報を前記出力装置に送信出力することを特徴とする調色塗料の配合情報取得システムにより達成される。
【発明の効果】
【００２１】
本発明によれば、所望の塗色を得るための調色塗料の配合情報を、高価な専用端末装置を使用することなく容易に取得することができる塗料配合情報取得方法及び配合情報取得システムを提供することができる。
【発明を実施するための最良の形態】
【００２２】
以下、図面を参照して、本発明の実施形態に係る調色塗料の塗料配合情報取得方法の一例を説明する。図１は、本発明の実施の形態を示すフローチャート図である。
【００２３】
ステップＳ１では、所望の塗色の塗色情報を新たに測定して取得することが必要であるか否かを判断する。必要であると判断した場合は、ステップＳ２へ進む。必要でないと判断した場合には、ステップＳ３へ進む。例えば、所望の塗色の塗色名、塗色コード等がわかっている場合は、塗色情報として十分であるので、新たな塗色情報を取得する必要はない。一方、所望の塗色が、ユーザー側において新規な塗色であれば、塗色名や塗色コードがわからない場合がある。このような場合は、測定によって塗色情報を取得する必要があると判断する。
【００２４】
ステップＳ２では、所望の塗色を測色装置で測定して塗色情報を取得する。具体的には、所望の塗色に塗装されたテストパネルを、色彩計等の測色装置で測定して、塗色情報を取得することができる。または、実際に補修塗装を行う部位の周辺の色を塗色として測色装置で測色して塗色情報を取得してもよい。
【００２５】
ステップＳ３では、入力装置を使用するか否かを決定する。前記塗色情報が、例えば数値化された塗色コードであれば、入力装置を使用する必要はないが、塗色情報が塗色の慣用名である場合においては、入力装置として、市販のパーソナルコンピュータ等の演算装置を使用して、所定のコードに変換することができる。また、測色装置により取得した測色値を塗色情報として用いる場合には、生データをそのまま使用するのでなく、演算処理や統計処理を行うことができる。入力装置を使用する場合はステップＳ４へ進む。入力装置を使用しない場合は、ステップＳ５へ進む。
【００２６】
ステップＳ４では、入力装置に所望の塗色の塗色情報を入力する。塗色情報をコード化された数値やテキストとして入力することができるが、入力装置として演算装置を使用する場合においては、演算装置において前記の如き演算処理や統計計算を行なって得られた数値やテキストデータを塗色情報とすることができる。
【００２７】
ステップＳ５では、携帯型情報処理装置に所望の塗色の塗色情報を入力する。例えば塗色情報がコード化された数値データであれば、キー入力することができる。
【００２８】
ステップＳ６では、入力装置から携帯型情報処理装置に塗色情報を送信する。塗色情報の送信方法としては無線通信技術や有線通信技術を使用することができる。すなわち、入力装置から携帯型情報処理装置に電子データとして送信する。ここでは、非接触ＩＣチップを搭載した携帯型情報処理装置と、リーダライタを搭載した入力装置及び出力装置（詳細は後述する）を使用するＲＦＩＤシステムを適用する場合について説明するが、本発明の方法は、この方法特に限定されるものではない。塗色情報及び対応する調色塗料の配合情報を電子データとして、送受信可能なシステムであればよい。ＲＦＩＤシステムは、内部にアンテナを持ち、外部の端末が発信する弱い電波を利用してデータを送受信することが可能な半導体集積回路が埋め込まれた非接触ＩＣチップと、入力装置、出力装置及び携帯型情報処理装置等の指示によって電子データの読み書きを行うリーダライタから構成されるシステムである。装置間の電子データの送受信には無線通信が使用される。本発明方法においては、非接触ＩＣチップが搭載された携帯型情報処理装置を、入力装置のリーダライタにかざすことによって、入力装置から携帯型情報処理装置に所望の塗色の塗色情報を送信することができる。
【００２９】
ステップＳ６までの手順で携帯型情報処理装置は、所望の塗色の塗色情報を取得している。
【００３０】
ステップＳ７では、携帯型情報処理装置から、ネットワークを経由してサーバにアクセスする。
【００３１】
ステップＳ８では、携帯型情報処理装置からアクセスされたサーバは、携帯型情報処理装置を認証する。通常サーバは、携帯型情報処理装置からアクセスを受けると、携帯型情報処理装置に対して認証データの送信を要求する。要求を受けた携帯型情報処理装置は、固有の認証データをサーバに送信して認証を受けることができる。またはサーバは、携帯型情報処理装置から第１回目にアクセスを受けた時に携帯型情報処理装置に固有の認証ＩＤを受信して記憶しておいて、２回目以降のアクセス時には認証を行うステップを省略することができる。後述するサーバ内に格納されたデータベースは、通常塗料会社等が運用管理している。データベース管理者は、携帯型情報処理装置へのアクセス権の付与すなわち携帯型情報処理装置固有の認証ＩＤのサーバ側からの認識を携帯電話会社等の第三者に依頼することができる。このアクセス権の付与を有料として、データベース管理者は、携帯型情報処理装置を使用するユーザーからデータベース利用料金を徴収することができる。
【００３２】
ステップＳ９及びＳ１０では、サーバ内に格納されたデータベースを検索して、所望の塗色の塗色情報に対応する調色塗料の配合情報が前記データベース内に記憶されているか否かを判断する。塗色情報に対応する配合情報が格納されていない場合においては、ステップＳ１１又はＳ１２へ進む。本発明方法において、調色塗料の配合情報とは具体的には、調色塗料に配合せしめる原色塗料、着色顔料ペースト、光輝性顔料ペースト、艶調整剤及び添加剤等の量組成を意味する。
【００３３】
ステップＳ１１では、近似色検索技術を利用して、所望の塗色に近似する塗色の塗色情報に対応する配合情報を検索取得する。近似色として１色を選択する必要はなく、近似色として複数の塗色を選択して各々の塗色情報に対応する配合情報を選択取得することができる。近似色検索の一形態としては、例えば塗色情報として塗色の分光反射率をサーバが受信取得した場合に、塗装して前記分光反射率の塗色が得られる調色塗料の配合情報が未知であれば前記分光反射率と近似する分光反射率が得られる近似塗色を検索する手法を挙げることができる。
【００３４】
ステップＳ１２では、公知のＣＣＭ（Ｃｏｍｐｕｔｅｒ  Ｃｏｌｏｒ  Ｍａｔｃｈｉｎｇ）技術を利用して、塗色情報に対応する調色塗料の配合情報をサーバ内で演算して、配合情報を取得する。この場合も、配合情報は１種類でなく、ある塗色情報に対して複数の配合情報の候補を計算取得することができる。または、ある塗色情報に対応する配合情報を計算してさらに該塗色に近似する塗色の塗色情報に対応する配合情報を計算してもよい。
【００３５】
ステップＳ１２までの工程で、所望の塗色の塗色情報に対応する調色塗料の塗色情報又は所望の塗色の近似色の塗色情報に対応する調色塗料の配合情報がサーバ内のデータベースにおいて決定された。
【００３６】
ステップＳ１３では、携帯型情報処理装置は、サーバから前記ネットワークを経由して所望の塗色が得られる調色塗料の配合情報を受信取得する。所望の塗色に対応する配合情報のみでなく、例えば近似色の塗色情報に対応する配合情報を同時に受信取得することができる。
【００３７】
ステップＳ１４では、携帯型情報処理装置は、サーバから取得した調色塗料の配合情報を出力装置に送信するか否かを決定する。ＹＥＳであればステップＳ１５に進む。ＮＯであればステップＳ１７に進み、携帯型情報処理装置におけるディスプレイ等の表示手段に調色塗料の配合情報を表示する。
【００３８】
ステップＳ１５では、携帯型情報処理装置が取得した配合情報を、出力装置に送信する。携帯型情報処理装置から出力装置への配合情報の送信は、入力装置から携帯型情報処理装置への送信と同様の方法で行うことができる。本発明方法においては、例えば、携帯型情報処理装置が取得した配合情報を搭載された非接触ＩＣチップに記憶しておいて、携帯型情報処理装置を出力装置のリーダライタにかざすことによって、携帯型情報処理装置から出力装置に所望の塗色の塗色情報を送信することができる。
【００３９】
ステップＳ１６では、出力装置は、所望の塗色の塗色情報に対応する配合情報を出力する。出力方法は、ユーザーが配合情報を使用する目的によって異なる。例えば、出力装置がディスプレイ等の表示装置であれば、調色塗料の塗色名や、配合情報（配合せしめる原色塗料の種類やその配合量）を表示する。また、出力装置がプリンター等の印刷装置であれば、調色塗料の塗色名や、配合情報を印刷する。あるいは、出力装置として調色装置を使用する場合においては、配合情報を携帯型情報装置から取得し、さらに必要とする調色塗料の必要量（重量や容量）をユーザーが決定して入力することによって、自動的に調色塗料を調整することが可能である。
【００４０】
なお、図１を参照して説明する手順は、本実施の形態に係る調色配合取得方法が実施可能なことを示す１例であり、ステップの順序が相違してもよく、特定のステップが省かれてもよく、別のステップを含んでいてもよい。
【００４１】
図２は、本発明方法を実施可能な調色塗料の配合情報取得システムのシステム体系を示す。ここでは、本発明のシステムを使用して、所望の塗色が得られる調色塗料の配合情報を取得して、取得した配合情報を使用して、２種類以上の原色塗料を混合して調色塗料の調製を行う自動車補修工場を例に挙げて説明する。なお、本発明の塗料配合情報取得方法及びシステムは、自動車補修工場の他、調色工場及び塗料販売店等において、所望の塗色が得られる配合情報を取得する調色分野に適用できる。
【００４２】
図２に示すように本発明に係る調色塗料の配合情報取得システムは、自動車補修工場に配置される携帯型情報処理装置１、演算装置４、測色装置５、計量装置６、印刷装置７、調合装置７及び前記携帯型情報処理装置１と電子データを通信可能なネットワーク回線２で接続されたサーバ３とからなる。
【００４３】
前記演算装置４、測色装置５、計量装置６、印刷装置７及び調合装置は、出力装置及び／又は入力装置であって、携帯型情報処理装置１と電子データの送受信が可能なものである。これら出力装置及び入力装置は、後述する携帯型情報処理装置１が有する非接触ＩＣチップが記憶する電子データを無線通信にて読み取って記憶するリーダライタをそれぞれ備えている。また、このリーダライタは、当該リーダライタが記憶している電子データを携帯型情報処理装置１が有する非接触ＩＣチップに無線通信にて送信する機能も備えている。
【００４４】
前記サーバ３には、後述する塗色情報及び配合情報を記憶したデータベースが格納されている。
【００４５】
本発明における携帯型情報処理装置１は、所望の塗色の塗色情報に基づき、サーバ３内のデータベースを検索して該塗色が得られる調色塗料の配合情報を取得する装置である。上記塗色情報は、携帯型情報処理装置１に直接入力することができるが、後述する入力装置に入力し、電子データとして携帯型情報処理装置１に送信してもよい。
【００４６】
前記携帯型情報処理装置１は、入力装置及び出力装置との間で、塗色情報及び／又は配合情報を送受信可能な装置であって且つサーバ３内のデータベースを検索して、所望の塗色の塗色情報から、該塗色が得られる調色塗料の配合情報を取得する装置である。
【００４７】
所望の塗色とは、例えば、自動車補修の場合は、補修が必要な部分の周辺の色を意味する。ユーザーが、様々な塗色を表わす色見本帳（色票、カラーカード）を保有していれば、色見本帳と該色見本帳と補修が必要な部位周辺の色を比較して、色見本帳のコード番号を決定することができる。前記色見本帳としては、例えば日本塗料工業会発行のオートカラーズを挙げることができる。あるいは、塗料メーカーが独自に発行している色見本帳であってもよい。あるいは、色見本帳を使用することなく、補修が必要な部位周辺の色を測色装置を使用して測色して塗色情報としてもよい。
【００４８】
配合情報の検索は、携帯型情報処理装置１からネットワーク回線２を経由して所望の塗色の塗色情報をサーバ３に送信し、サーバ３が、携帯型情報処理装置１から受信した塗色情報に基づいて、該塗色を得られる調色塗料の配合情報をサーバ３内に格納されたデータベースを検索することにより行う。
【００４９】
前記ネットワーク回線２としては、携帯電話網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、電話回線網、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線網、、移動体通信網、通信衛星回線、ＣＡＴＶ（Ｃｏｍｍｕｎｉｔｙ  Ａｎｔｅｎｎａ  Ｔｅｌｅｖｉｓｉｏｎ）、光通信回線、無線通信回線等を含むことができる。
【００５０】
本発明においては、携帯型情報処理装置１としては、パーソナルコンピュータ（Ｐｅｒｓｏｎａｌ  Ｃｏｍｐｕｔｅｒ）等設置場所が限定された固定端末、携帯情報端末及びＰＨＳ（Ｐｅｒｓｏｎａｌ  Ｈａｎｄｙｐｈｏｎｅ  Ｓｙｓｔｅｍ）等を使用することができる。特に携帯電話機を使用することが好ましい。この携帯型情報処理装置１は、所望の塗色の塗色情報を入力する際に用いられるキーボードやキーパット等の入力手段と、塗色情報や、検索した結果得られる調色塗料の配合情報等を表示するディスプレイ等の表示手段と、ネットワーク回線２を介してサーバ３との情報のやり取りを行う通信制御部とを備えている。また、携帯型情報処理装置１は、入力装置や出力装置との間で近距離無線通信を行う通信部を備えている。この通信部は、非接触ＩＣチップにより構成されている。非接触ＩＣチップは、入力装置や出力装置が備えるリーダライタと電磁波のやり取りを行うことによって、リーダライタの内部メモリに記憶された情報を読み取ったり、非接触ＩＣチップが記憶している情報をリーダライタに送信することが可能な装置である。携帯型情報処理装置１と、入力装置や出力装置との電子データの送受信は、電磁波を利用した無線通信にて行われるため、携帯型情報処理装置１や、入力装置及び出力装置におけるリーダライタが塗料により汚れた場合であっても、両者間で電子データのやり取りを問題なく確実に行うことができる。
【００５１】
サーバ３は、複数の塗色の塗色情報にそれぞれ対応する調色塗料の配合情報を格納したデータベースを備えている。このサーバ３は、前記携帯型情報処理装置１から送信された塗色情報をネットワーク回線２を経由して受信すると、サーバ３内のデータベースを検索して必要な調色塗料の配合情報を取得し、前記携帯型情報処理装置１に送信する装置である。
【００５２】
上記配合情報とは具体的には、通常、原色塗料の量組成、着色ペーストの量組成を意味するが、さらに場合によっては、調色工場内に保管してある他の塗色の残塗料を修正して所望の塗色が得られる修正配合や、原色塗料や着色ペーストの配合の順番や、調合時の注意事項といった周辺情報を含むことができる。
【００５３】
また、原色塗料の設計変更等がなされた場合においては、塗料会社等のデータベース管理者は、配合情報を適宜変更して常に最新の塗色情報と配合情報との組み合わせをデータベースに記憶させることができる。あるいは、ユーザーの要求に応じて前述のＣＣＭを行なって、これまでに実績がなかった塗色を得る調色塗料の配合情報を取得した場合にもデータベースに追加することができる。
【００５４】
サーバ３は、前記携帯型情報処理装置１からのアクセスを受けた際に、該携帯型情報処理装置が、サーバ３内のデータベースを検索する権利を有するか否かを認証する機構を具備することができる。認証方法としては、予めデータベースにアクセス可能な携帯型情報処理装置１のドメイン（Ｄｏｍａｉｎ）やユーザーアカウント（Ｕｓｅｒ  Ａｃｃｏｕｎｔ）等の認証ＩＤをデータベース内に記憶しておくことで、認証することができる。また、データベース内に記憶した塗色情報及び配合情報に階層を設けておいて、検索可能な配合情報の範囲を端末装置のドメインやユーザーアカウントごとに設定しておくことも可能である。
【００５５】
上記サーバ３は、前記携帯型情報処理装置１に送信した配合情報の履歴を蓄積する機能を具備することができる。さらに該履歴に応じて、携帯型情報処理装置１の利用者であるユーザーに対して課金してもよい。特に携帯型情報処理装置１として携帯電話機を使用する場合においては、通常の回線使用料金に加算して、携帯電話機を使用して調色塗料の配合情報を取得した利用料金をユーザーから携帯電話会社が徴収し、塗料会社等のデータベース管理者は、携帯電話会社から前記利用料金を回収することができる。あるいは、サーバ３は、携帯型情報処理装置１に配合情報を送信した履歴を蓄積したデータを、料金回収を専門とする業者に送付して、料金回収を依頼してもよい。
【００５６】
また、前記配合情報を送信した履歴を解析することによって、要求が多い塗色をサーバを管理する塗料会社が把握することができる。一方ユーザーは、所望の塗色に対応する配合情報を取得した場合においても、調色作業の過程で適宜調整しながら最終的な調色と量を調整する場合がある。その場合、取得した配合情報から修正された配合情報が得られる。該配合情報を前記所望の塗色の塗色情報や最終的に調整された調色塗料を塗装して得られた塗色の塗色情報と組み合わせてサーバに送信してサーバ側で蓄積することもできる。
【００５７】
演算装置４は、携帯型情報処理装置１と塗色情報及び配合情報を送受信可能な装置であって、所望の塗色の塗色情報を携帯型情報処理装置１に送信入力することができる。ここでいう塗色情報とは、塗料の品種、塗色の名称、塗色コード、塗色の色を表わす数値及び塗色の質感を表わす数値等を意味する。
【００５８】
塗料の品種の入力方法としては、例えば製品名、塗料会社が製品群の分類整理用に付した製品コードを文字データあるいは数値データとして入力装置に入力することができる。
【００５９】
塗色の名称とは、例えば自動車会社が特定の車種に適用している外装色の名称等を意味し、文字データとして入力することができる。
【００６０】
または、前述のように塗色情報が記載された色見本帳から調色基準となる色見本を選出し、該色見本に記載された塗色情報を入力することができる。
【００６１】
さらに、以下に示す色票シート群を予め作成し、調色基準となる作業色票（色見本）を選出し、該選出された作業色票に記載された塗色情報を入力することができる。
【００６２】
上記色票シート群とは具体的には、例えば、自動車会社、塗料会社が指定した指定色番号が付された各塗色に対応して重複することなく設定された塗色コード毎に独立した色票シートが複数集合してなるものを挙げることができる。
【００６３】
該色票シート１枚には、例えば、同一塗色コードの１以上の実塗料配合に対応する色見本である作業色票が１枚以上載置されており、該作業色票には作業色票番号が表示されている。色票シート及び作業色票のうちの少なくとも一方に、塗色コードが表示されている。また、色票シート及び／又は作業色票には、メーカー名、メーカー指定色番号などが記載されていてもよい。色票シート群は、該色票シートが複数集合してなるものである。
【００６４】
上記塗色の色を表わす数値としては、マンセル表色系、Ｌ＊ａ＊ｂ＊表色系、Ｌ＊Ｃ＊ｈ表色系、ハンターＬａｂ表色系、ＸＹＺ表色系等の色度や明度及び分光反射率等を挙げることができる。
【００６５】
上記質感を表わす数値としては、塗膜の正反射方向の光輝感を表わすＩＶ値、すかし方向の光輝感を表わすＳＶ値、この両者の関係から光輝性顔料の塗膜内における配向状況を表すフリップフロップ値（ＦＦ値）、ミクロ光輝感を表わすＨＧ値等が挙げられる。
【００６６】
これらのうち色度及び明度は、市販の測色計等を使用して測定することができ、分光反射率は、分光光度計によって測定することができる。質感を表わす上記数値のうちＩＶ値、ＳＶ値及びＦＦ値は、多角度分光反射率計で測定して得られた測定値から演算して求めることができる。ＨＧ値は、塗膜を入射角１５度／受光角０度にてＣＣＤカメラで撮像し、得られたデジタル画像データ、すなわち２次元の輝度分布データを２次元フーリエ変換処理し、得られたパワースペクトル画像から、粒子感に対応する空間周波数領域のみを抽出し、算出した計測パラメータを、さらに０から１００の数値を取り且つ粒子感との間に
直線的な関係が保たれるように変換して得られるものであって、ミクロ光輝感測定装置を使用して測定することができる。本発明における色や質感を表わす数値としては、色や質感を数値として表わすことができる物理量及び心理物理量であれば上記に限定されるものではない。
【００６７】
演算装置４としては、具体的には、パーソナルコンピュータ（Ｐｅｒｓｏｎａｌ  Ｃｏｍｐｕｔｅｒ）等を使用することができる。
【００６８】
測色装置５は、所望の塗色の色や質感を表わす値が、未知である場合において、実際に所望の塗色を測定して色や質感を表わす値を取得し、取得した塗色情報を携帯型情報処理装置１に送信入力装置である。具体的には、市販の測色計、分光光度計及びミクロ光輝感測定装置等を挙げることができる。
【００６９】
上記測色装置５は、取得した塗色の色や質感を表わす値を携帯型情報処理装置１に直接送信することができるが、色や質感を表わす値の種類によっては、測色装置５で取得した数値を、前記演算装置４に送信して、演算装置４において所定の演算を行なって色や質感を表わす値に変換した後に携帯型情報処理装置１に送信することができる。
【００７０】
本発明において、携帯型情報処理装置１は、前記サーバ３内のデータベースを検索し、所望の塗色が得られる調色塗料の配合情報を取得する。携帯型情報処理装置１として携帯電話機を使用する場合においては、取得した配合情報は、携帯電話機のディスプレイに表示させて、ユーザーはディスプレイを見ながら調色塗料を調整することができる。さらに計量装置６等の出力装置に、前記配合情報を送信することができる。以下、出力装置について説明する。
【００７１】
計量装置６は、前記サーバ３内のデータベースを検索して得られた配合情報を、携帯型情報処理装置１から電子データとして取得し、取得した配合情報と必要とする調色塗料の量から、調色塗料に混合せしめる原色塗料の種類及び配合量を表示して作業者に指示する機構を具備した計量装置を意味する。さらに場合によっては作業者が必要な原色塗料を投入したらその旨を音声やランプの点灯等で表示することもできる。具体的には、例えば、Ｖａｎ−ＶａｎはかりＪＯ‘Ｓ（商品名、関西ペイント社製、オフライン計量機）に、携帯型情報処理装置１が有する非接触ＩＣチップに格納された電子データを読み出すリーダライタ６１を搭載した装置を使用することができる。
【００７２】
印刷装置７は、前記サーバ３内のデータベースを検索して得られた配合情報を、前記携帯型情報処理装置１から取得し、印刷する装置である。印刷装置７としては特に限定されるものではなく、市販のインクジェットプリンターやレーザープリンター、熱転写プリンター等を使用することができる。また、複合機と称するファクシミリ送受信機能を具備した印刷機やコピー機能を具備した印刷機を使用することもできる。計量装置６と同様に、例示した各種プリンターに、リーダライタ７１を搭載したものを使用することができる。
【００７３】
上記印刷装置７は、携帯型情報処理装置１から直接配合情報を取得することができるが、演算装置４を使用する場合においては、演算装置４内にて塗色情報及び配合情報を特定の書式に変換したのちに該書式にしたがって塗色情報及び配合情報を印刷することもできる。ここでいう特定の書式とは、実際に調色工場において塗料の調合を行う作業者が、作業し易いように記載される書式であり、必要に応じて配合の手順や注意事項等が記載された所謂作業票であることができる。また、上記計量装置６との間に電子データの送受信が可能とさせる機構を搭載して、計量装置６から配合情報を取得して印刷することができる。
【００７４】
図２の調合装置８は、携帯型情報処理１から、配合情報を取得し、取得した配合情報と必要とする調色塗料の量から、調色塗料に混合せしめる原色塗料を自動的に計量し混合する装置である。
【００７５】
上記計量装置６及び調合装置８は、塗色情報の中で塗料の品種や塗色コード等の塗色情報を文字データとして入力する機構を追加することができる。この場合、前記演算装置４を使用することなく、計量装置６及び調合装置８を入力装置として使用することもできる。
【図面の簡単な説明】
【００７６】
【図１】本発明の実施の形態を示すフローチャート図である。
【図２】本発明の配合情報取得システムのシステム体系を示すモデル図である。
【符号の説明】
【００７７】
１  携帯型情報処理装置
２  ネットワーク回線
３  サーバ
４  演算装置
５  測色装置
６  計量装置
７  印刷装置
８  調合装置
【図１】
2007314772.tif 000003
【図２】
2007314772.tif 000004